【手続補正書】
【提出日】平成21年8月21日(2009.8.21)
【手続補正１】
【補正対象書類名】明細書
【補正対象項目名】発明の名称
【補正方法】変更
【補正の内容】
【発明の名称】スキャナ装置およびイメージングシステム
【手続補正２】
【補正対象書類名】明細書
【補正対象項目名】特許請求の範囲
【補正方法】変更
【補正の内容】
【特許請求の範囲】
【請求項１】  操作者インタフェイス（２２）と、
表示モニタ（１８）と、
対象となるオブジェクトの画像データを取得するスキャンサブシステム（８２）と、
規格化されたプロトコルとの連携を仲介する外部のワークリスト仲介装置をネットワークを介して通信するためのネットワーク接続ポート（３２）と、
プログラムステップを実行するコンピュータと、
を有するスキャナー装置であって、
前記コンピュータは、
（ａ）前記表示モニタを制御して検索可能なパラメータのリストを画面スクリーンに表示させる表示ステップであって、
各々の前記パラメータは、夫々のトグルフィールド（６４）と繰り返し埋め込み入力可能な探索基準フィールドとを関連付けてリスト化されて有しており、
前記トグルフィールドの各々は、ユーザが前記操作者インターフェース（２２）を用いて任意の１つを選択できるように構成された第１のトグル状態乃至第３のトグル状態を有し、
前記第１のトグル状態は、対応する前記探索可能なパラメータがデータベースを探索する間は無視されることを意味し、前記第２のトグル状態は、対応する前記探索可能なパラメータがその探索の間には探索パラメータとして採用されるが、しかし、当該探索可能なパラメータに対する検索された値は、ワークリスト探索結果の表示画面には表示されないことを意味し、前記３のトグル状態は、対応する前記探索可能なパラメータがその探索の間に探索パラメータとして採用され、且つ、当該探索可能なパラメータに対する検索された値が、ワークリスト探索結果の表示画面には表示されることを意味するように定められた、
ところの前記スクリーンを表示制御するワークリスト表示ステップと、
（ｂ）前記操作者インターフェース（３２）を使用して探索コマンドが入力されたことに応答して、ワークリスト要求メッセージを、前記第２または第３トグル状態にあるトグルフィールドを有する前記探索パラメータの関数として定式化するス定式化テップと、
（ｃ）遠隔にあるワークリスト仲介装置（８４）前記ネットワークを介して、との連携を開設する連携開設ステップ（５６）と、
（ｄ）前記ワークリスト要求メッセージを、前記ネットワーク接続ポート（３２）を介して、遠隔にある前記ワークリスト仲介装置（８４）に送る送信ステップ（５８）と、
（ｅ）ステップ（ｄ）に応答して前記表示モニタを制御し、前記ワークリスト仲介装置（８４）から受け取ったワークリスト探索結果の少なくとも上記部分を前記表示モニタに表示せしめるステップであって、前記結果は、前記探索可能パラメータのうちの前記第３のトグル状態により表示用に指定されたものの、検索されて得られた値を表すものである、探索結果表示ステップと、
（ｆ）前記探索結果表示ステップ（ｅ）の後に前記操作者インターフェースからの患者選択コマンドの入力に応答して、前記ワークリスト探索結果のうちの特定の患者に属する探索結果を登録する探索結果登録ステップと、
（ｇ）ステップ（ｆ）の後に前記操作者インターフェースからのスキャンコマンドの入力に応答して、前記スキャンサブシステムを制御して画像を取得する画像取得ステップと、
（ｈ）前記操作者インターフェースからのセーブコマンドの入力に応答して、前記取得した画像を前記ワークリスト探索結果の前記登録した部分と共に記憶する記憶ステップと、
を実行するようにプログラムされたことを特徴とするスキャナー。
【請求項２】  前記コンピュータは、前記表示モニタを制御して前記取得した画像を表示することを特徴とする請求項１のスキャナー。
【請求項３】  前記画面スクリーンは、前記操作者インターフェースを用いて入力されたワークリスト表示順序を表示するフィールドをさらに有し、このワークリスト表示順序は、上記のパラメータ並びにトグルなどの項目が表示されるべき順序を示すことを特徴とする請求項１または２のスキャナー。
【請求項４】  前記登録ステップは、前記ワークリスト探索結果の前記特定の患者の前記登録した部分を自動的に入力するステップを更に具備することを特徴とする請求項１乃至３のいずれかに記載のスキャナー。
【請求項５】  前記規格プロトコルはＤＩＣＯＭプロトコルであり、前記ワークリスト探索要求メッセージは、このＤＩＣＯＭプロトコルに従ってフォーマットされていることを特徴とする請求項１乃至４のいずれかに記載のスキャナー。
【請求項６】  前記スキャンサブシステムは複数の超音波トランスデューサ素子を有することを特徴とする請求項１乃至５のいずれかに記載のスキャナー。
【請求項７】  ネットワーク（９０）と、このネットワークに接続されたスキャナ装置（８２）と、前記ネットワークに接続されたスキャナ装置との間で規格化されたプロトコルとの連携を仲介するワークリスト仲介装置（８４）とを備えてなるイメージングシステムであって、
前記ワークリスト仲介装置は、データベースから格納されていた患者情報を、前記ネットワークを介して受け取ったワークリスト探索要求メッセージに応答して、取り出す手段を有し、
前記スキャナ装置は、操作者インタフェイス（２２）と、表示モニタ（１８）と、対象となるオブジェクトの画像データを取得するスキャンサブシステム（８２）と、ハードｐでぃスク（２６）と、コンピュータとを有し、
前記コンピュータは
（ａ）前記表示モニタを制御して検索可能なパラメータのリストを画面スクリーンに表示させる表示ステップであって、   各々の前記パラメータは、夫々のトグルフィールド（６４）とファイル可能な探索基準フィールドとを関連付けてリスト化されて有しており、  前記トグルフィールドの各々は、ユーザが前記操作者インターフェース（２２）を用いて任意の１つを選択できるように構成された第１のトグル状態乃至第３のトグル状態を有し、  前記第１のトグル状態は、対応する前記探索可能なパラメータがデータベースを探索する間は無視されることを意味し、前記第２のトグル状態は、対応する前記探索可能なパラメータがその探索の間には探索パラメータとして採用されるが、しかし、当該探索可能なパラメータに対する検索された値は、ワークリスト探索結果の表示画面には表示されないことを意味し、前記３のトグル状態は、対応する前記探索可能なパラメータがその探索の間に探索パラメータとして採用され、且つ、当該探索可能なパラメータに対する検索された値が、ワークリスト探索結果の表示画面には表示されることを意味するように定められた、ところの前記スクリーンを表示制御するワークリスト表示ステップと、
（ｂ）前記操作者インターフェース（３２）を使用して探索コマンドが入力されたことに応答して、ワークリスト要求メッセージを、前記第２または第３トグル状態にあるトグルフィールドを有する前記探索パラメータの関数として定式化するス定式化テップと、
（ｃ）遠隔にあるワークリスト仲介装置（８４）前記ネットワークを介して、との連携を開設する連携開設ステップ（５６）と、
（ｄ）前記ワークリスト要求メッセージを、前記ネットワーク接続ポート（３２）を介して、遠隔にある前記ワークリスト仲介装置（８４）に送る送信ステップ（５８）と、
（ｅ）ステップ（ｄ）に応答して前記表示モニタを制御し、前記ワークリスト仲介装置（８４）から受け取ったワークリスト探索結果の少なくとも上記部分を前記表示モニタに表示せしめるステップであって、前記結果は、前記探索可能パラメータのうちの前記第３のトグル状態により表示用に指定されたものの、検索されて得られた値を表すものである、探索結果表示ステップと、
（ｆ）前記探索結果表示ステップ（ｅ）の後に前記操作者インターフェースからの患者選択コマンドの入力に応答して、前記ワークリスト探索結果のうちの特定の患者に属する探索結果を登録する探索結果登録ステップと、
（ｇ）ステップ（ｆ）の後に前記操作者インターフェースからのスキャンコマンドの入力に応答して、前記スキャンサブシステムを制御して画像を取得する画像取得ステップと、
（ｈ）前記操作者インターフェースからのセーブコマンドの入力に応答して、前記取得した画像を前記ワークリスト探索結果の前記登録した部分と共に記憶格納する格納ステップと、
を実行するようにプログラムされたことを特徴とするイメージングシステム。
【請求項８】  前記ネットワークに接続された記憶装置（８６）を更に有するイメ−ジングシステムであって、
前記コンピュータは、更に、
（ｉ）前記記憶装置との前記ネットワークを介した連係動作をオープンするステップと、
（ｊ）前記連携が開かれている間に、前記操作者インターフェース（２２）を介した格納コマンドの入力に応答して、前記取得した画像と前記ワークリスト探索要求結果の前記関連部分とを、前記ネットワークを介して前記記憶装置に転送するステップと、
を実行するようにプログラムされていることを特徴とする請求項７に記載のイメージングシステム。
【請求項９】  前記規格プロトコルはＤＩＣＯＭプロトコルであり、前記ワークリスト探索要求メッセージと前記記憶格納されるべきはファイルなどは、このＤＩＣＯＭプロトコルに従ってフォーマットされていることを特徴とする請求項７または８に記載のシステム。
【請求項１０】  前記スキャンサブシステムは複数の超音波トランスデューサ素子を有することを特徴とする請求項７または８または９に記載のイメージングシステム。
【手続補正３】
【補正対象書類名】明細書
【補正対象項目名】００１５
【補正方法】変更
【補正の内容】
【００１５】
【課題を解決するための手段】
本発明は、既存のプロトコル（例えば上記のＤＩＣＯＭプロトコル）との親和性がよく、且つ高速に効率よく、高い信頼性で接続する能力を有するスキャナ装置、更に、そのスキャナ装置を接続してネットワークを構成できるイメージングシステムを提供する。
本発明の一実施態様のリモート装置（即ち、遠隔に位置する装置）、例えば、ワークリスト仲介装置へ、効率的なモダリティ・ワークリストの問い合わせを送信するようにプログラムされているコンピュータ化イメージャである。本発明の好ましい実施態様によれば、利用者が１つ又はこれよりも多い探索フィールドを選択すると共に各々のフィールド毎に探索規準を入力することを可能にする利用者対話型ワークリスト設定メニューが提供される。ワークリスト設定メニューはまた、システム操作者が、検索されたワークリスト・データ内のどのデータを利用者対話型ワークリスト・メニュー上に表示するかを制御することを可能にする。探索（サーチ）は、ワークリスト・メニュー上の探索キーの仮想的な表現をクリックすることにより開始する。探索結果は、イメージング・システムによってリモートのワークリスト仲介装置から受信されて、メモリに記憶される。表示用に指定された探索フィールドが、ワークリスト・メニュー上に表示される。システム利用者は、ワークリスト上に表示されている任意のエントリ（項目）についての全ての情報を、このエントリを単にクリックすることにより、新規患者メニューへ転送することができる。